(57)【要約】      （修正有）【課題】安全対策のためのガードレールが雑草により隠れてしまうことを防止するとともにガードレールの位置を分かりやすくする防草装置付きガードレールを提供する。【解決手段】ガードレールＡのレール部下端に下方に照射する紫外ＬＥＤ照明２を設けるとともに、レール上端に太陽光発電パネル４を設け、紫外ＬＥＤの電源とした。【選択図】図１
0003216365.tif 000002
【実用新案登録請求の範囲】
【請求項１】
ガードレールＡのレール部下端１に下方に照射する紫外ＬＥＤ照明２を設けるとともに、該レール上端３に太陽光発電パネル４を設け、該パネル４と接続された上記紫外ＬＥＤ照明２の電源としたことを特徴とする防草装置付きガードレールである。
【考案の詳細な説明】
【技術分野】
【０００１】  本考案は、防草装置付きガードレールに関するものである。詳しくは安全対策のためのガードレールが雑草により隠れてしまうことを防止するとともにガードレールの位置を分かりやすくするものである。
本考案はガードレールのレール部下端に下方に照射する紫外ＬＥＤを設けるとともに、該レール上端に太陽光発電パネルを設け、該パネルと接続された上記紫外ＬＥＤの電源としたことを特徴とする防草装置付きガードレールである。
【背景技術】
【０００２】  ガードレールは安全運転のための道路端部を示すとともに、運転操作を誤った場合には大事故となることを防止するための事故緩衝装置としての機能を有するものである。然しながら設置場所は高速道路など山間の道路が多いため、雑草が生え、定期的な除草作業が必要であった。【０００３】  一方で、特許公開２０１６−７３２３０（特許文献１）で提案されているように、クズのような難防除雑草を防除することができる防草方法が提案されている。
この防草方法は、紫外線を利用して蔓性の難防除雑草の枯殺及び生長制御の少なくとも一方を実現する。例えば、難防除雑草に対して直接紫外線を照射することで、当該難防除雑草を枯殺したり、難防除雑草の侵入を回避すべき空間に対して紫外線を照射することで、当該難防除雑草の生長を制御したりする。このように、蔓性の難防除雑草を防草対象とし、当該難防除雑草の枯殺や生長制御を行うものである。
この方法は極めて有効であると思われるが、ガードレールの視認性を高めることや事故防止については言及されていない。【０００４】  また、太陽光パネルの発達やＬＥＤの紫外光の普及により、これらは安価で簡単に手に入ることとなった。【０００５】  さらには、防草作業の人手不足や頻度の問題で費用がかさむため放置されている場合も多かった。【０００６】  このような状況に鑑み、本考案は案出されたものであり、紫外ＬＥＤ照明の紫外線は、２００ｎｍ以上２８０ｎｍ以下の波長を有するものであり、ガードレールのレール部下端に下方に照射する紫外ＬＥＤを設けるとともに、該レール上端に太陽光発電パネルを設け、該パネルと接続された上記紫外ＬＥＤの電源としたことを特徴とする防草装置付きガードレールである。【０００７】  また、特許公開２０１６−１９９９８１（特許文献２）として、ガードレールの支柱の周囲の雑草の除草作業は危険と困難を極めたものに対する解決策として、ガードレール支柱付近の雑草を生えなくして無草化するため、ガードレール支柱の外周下部の部分にスカート状のブッシュとプレートを装着して雑草を生えなくして無草化することが提案されているが紫外ＬＥＤを使用せず機械的に防草するものであるため、長期使用に対しての不安が残っていると思われる。
【先行技術文献】
【特許文献】
【０００９】
【特許文献１】特許公開２０１６−７３２３０号公報
【特許文献２】特許公開２０１６−１９９９８１号公報
【考案の概要】
【考案が解決しようとする課題】
【００１０】  以上説明した課題は、ガードレールの視認性を確保するために該ガードレールの下端の地表面からの雑草を自動的に防草する防草装置付きガードレールを提供することである。【００１１】  さらに、ガードレールの視認性をも向上させ、高速道路などの事故防止に貢献するものである。【００１２】  以上要約すると、ＬＥＤによる紫外光領域である  ２００ｎｍ以上２８０ｎｍ以下の波長を有する紫外ＬＥＤ照明と、太陽光パネルを該照明の電源としたものである。
【考案を解決するための手段】
【００１３】  本考案は、かかる従来の課題を解決するものであり、ガードレールの視認性を確保するために該ガードレールの下端の地表面からの雑草を自動的に防草する防草装置付きガードレールを提供することである。
【考案の効果】
【００１４】  太陽光パネルを電源とし、紫外ＬＥＤ照明による防草であるため、道路の安全性の向上と、安価な対策を両立させ目ものである。
【図面の簡単な説明】
【００１５】
【図１】  本考案の実施例を示すガードレールの部分正面図である。
【図２】  本考案の従来例を示すガードレールを含む設置状況の部分正面図である。
【考案を実施するための形態】
【００１６】  本考案を実施例に従って説明する。
【実施例】
【００１７】  図１は、本考案の防草装置付きガードレールであり、紫外ＬＥＤ照明のＬＥＤ紫外線は、２００ｎｍ以上２８０ｎｍ以下の波長を有するものであり、ガードレールのレール部下端に下方に照射する紫外ＬＥＤを設けるとともに、該レール上端に太陽光発電パネルを設け、該パネルと接続された上記紫外ＬＥＤの電源としたことを特徴とする防草装置付きガードレールである。【００１８】  ここで使用する紫外ＬＥＤ照明は、一般的に知られている上記特許文献１の紫外線と同様のものを利用するものである。特許文献１によると、前記紫外線は、発光強度が最大となる波長が２３０ｎｍ近傍であってもよい。例えば、キセノンガスを封入した希ガス蛍光ランプを用いれば、ピーク波長が２３０ｎｍで、波長２００ｎｍ〜２８０ｎｍの範囲に連続したスペクトルを有する紫外光を得ることができる。このように、実用的な光源を用いて難防除雑草に対する高い防草効果が得られる。
さらに、防草方法の一態様としては、２００ｎｍ以上２８０ｎｍ以下の波長を有する紫外線を利用して、植物の枯殺及び生長制御の少なくとも一方を実現する。
このように、波長が２００ｎｍ以上２８０ｎｍ以下である紫外線（ＵＶ−Ｃ）を用いることで、植物の枯殺や生長制御を効果的に行うことができる。【００１９】  図２は、本考案実施前の状態を示す写真であり、雑草によりガードレールへの視認性が阻害され安全性の確保のための定期的な除草作業が必要であり、作業そのものの安全確保も必要であった。【００２０】  以下、本考案の好適な実施形態を説明する。
ガードレールは、安全上道路の側端で、道路以外との区別を明確にし、事故防止となるように設置されているが、特に危険な山側法面との境や、急こう配の崖などとの境などにも設置されている。これらの場合は主要な個所のみに本考案の防草装置付きガードレールを設置することが効果的であり、安価に設置が可能である。【００２１】  ガードレールＡのレール部下端１に下方に照射する紫外ＬＥＤ照明２を設けるとともに、該レール上端３に太陽光発電パネル４を設け、該パネル４と接続された上記紫外ＬＥＤ照明２の電源としたことを特徴とする防草装置付きガードレールである。【００２２】  ここで、上記ＬＥＤ光源としては、例えば特願２００８−１０３７９１で提案されているものや市販されている紫外ＬＥＤランプを使用するものであるが、テープ状のものでの取り付けなどが簡単である【００２３】  以上説明したように本考案は、道路の安全管理が極めて容易であり、交通事故防止にも有益なものである。また、除草作業が不要となり、常に安全な道路を維持することができるばかりでなく死人性の確保に有用である。
【産業上の利用可能性】
【００２４】  本考案は、ガードレール生産販売の道路用鋼材産業や、高速道路会社などの公共道路産業に提供される。
【符号の説明】
【００２５】  Ａ  ガードレール
１  レール部下端
２  紫外ＬＥＤ照明
３  レール上端
４  太陽光発電パネル
【図１】
0003216365.tif 000003
【図２】
0003216365.tif 000004